(57)【要約】【課題】  コネクタの接続または離脱の状態に応じて，自動的に光増幅部の光出力を制御でき，且つ，小型化および低コスト化が可能な光増幅装置を提供すること。【解決手段】  光増幅部１００で増幅された光信号を出力側のコネクタ９２を経由して出力する光増幅装置であって，光増幅部１００からの光出力を制御する光出力制御部２００と，コネクタ９２からの反射光を用いてコネクタ９２の接続／離脱状態を検出する反射光検出部３００と，反射光検出部３００によりコネクタ９２の状態が接続から離脱へ変化したと検出された場合には，光出力制御部２００へ光増幅部１００の光出力を低下させる指示を出すと共に，反射光検出部３００へ反射光の検出感度を増加させる指示を出す利得制御部４００と，を備える。【選択図】    図１
2005236034.tif 000002
【特許請求の範囲】
【請求項１】
光増幅部で増幅された光信号を出力側のコネクタを経由して出力する光増幅装置であって，
前記光増幅部からの光出力を制御する光出力制御部と，
前記コネクタからの反射光を用いて前記コネクタの接続／離脱状態を検出する反射光検出部と，
前記反射光検出部の前記検出の結果に応じて，前記光増幅部からの光出力と前記反射光検出部における前記反射光の検出感度とを連動して変更するように，前記光出力制御部および前記反射光検出部へ指示を出す利得制御部と，を備えたことを特徴とする光増幅装置。
【請求項２】
前記利得制御部は，前記光出力を所定の倍率で変更するように指示し，且つ検出感度を前記所定の倍率の逆数となる割合で変更するように指示することを特徴とする請求項１に記載の光増幅装置。
【請求項３】
前記利得制御部は，前記コネクタの状態が接続から離脱へ変化したと検出された場合には，前記光出力制御部へ前記光増幅部の光出力を低下させる指示を出すと共に，前記反射光検出部へ前記反射光の検出感度を増加させる指示を出すことを特徴とする請求項１または２に記載の光増幅装置。
【請求項４】
前記利得制御部は，前記コネクタの状態が離脱から接続へ変化したと検出された場合には，前記光出力制御部へ前記光増幅部の光出力を増加させる指示を出すと共に，前記反射光検出部へ前記反射光の検出感度を低下させる指示を出すことを特徴とする請求項１または２に記載の光増幅装置。
【請求項５】
前記光増幅部が出力する光信号の一部はモニタ光として前記光出力制御部に入力され，
前記光出力制御部は差動増幅器を有し，前記差動増幅器の一方の入力端には，前記モニタ光を光電変換した信号が第１の抵抗を介して入力されると共に，所定の設定電圧による信号が第２の抵抗を介して入力され，前記第１の抵抗と前記第２の抵抗の値の比を変更することにより前記光増幅部の光出力を変更するよう構成されていることを特徴とする請求項１〜４のいずれか１項に記載の光増幅装置。
【発明の詳細な説明】
【技術分野】
【０００１】
本発明は，光増幅装置に関し，より詳しくは，出力側のコネクタが外れた場合に光出力の制御を行う光増幅装置に関する。
【背景技術】
【０００２】
一般に，光増幅装置が含まれた光送信装置からは高出力の光信号が出力され，この光信号は，出力端からコネクタを介して外部へ送出される。しかし，何らかの事情でコネクタが外れた場合，送出動作を変更しない限り，コネクタ端面から光信号が出力され続けるので，この高出力の光が作業者の目に入ると危険である。そこで，コネクタが外れた場合の事故を防止する手段が必要とされる。従来では，コネクタ端面またはコネクタが接続されている伝送路からの反射戻り光を検出することによって，コネクタが接続しているか離脱しているかを判断していた。そして，コネクタが離脱したと判断されたときには，自動的に光信号の出力を停止または低下させるように制御していた。
【０００３】
従来提案されている光増幅装置の一例について図３を参照しながら説明する。図３に示す光増幅装置では，入力端子１１から入力される光信号を増幅する光増幅器１２と，レーザ駆動回路５１によって駆動されるレーザダイオード５２を備えている。光増幅器１２およびレーザダイオード５２の出力は，光合波器５３に入力された後，光分岐器１３を介して出力用のコネクタ１４に送られる。一方，コネクタ１４側から反射されて戻ってきた反射光は，光分岐器１３を介してフォトダイオード１５に入力されて電気信号に変換され，検出器５４に入力される。検出器５４は入力された電気信号のレベルと所定の閾値とを比較することにより，コネクタ１４が外れているかを検出する。コネクタ１４の外れが検出されると，検出器５４は光増幅器１２の光出力を停止させると共に，レーザダイオード５２を低出力で発光させる。次に，コネクタ１４の接続が行われ反射光が正常値まで戻ると，検出器５４はコネクタ１４が接続されたことを検出し，光増幅器１２の光出力が正常値になるよう再び動作させると共に，レーザダイオード５２の発光を停止させる（特許文献１参照。）。
【０００４】
【特許文献１】特開平６−３０２８９０号公報
【発明の開示】
【発明が解決しようとする課題】
【０００５】
しかしながら，図３に示すような装置では，コネクタ１４が外れて光増幅器１２の光出力を停止している間，コネクタ１４からの反射光を検出するための別の光源としてレーザダイオード５２を用いている。そのため，この検出用のレーザダイオード５２と,それを駆動するためのレーザ駆動回路５１，さらにレーザダイオード５２の光をコネクタ１４へ送出するための光合波器５３が必要であった。このように，装置を構成する部品点数が多いため，コストがかかるという問題があった。また，通常の光増幅器以外にこのように多数の回路や部品を設けなくてはいけないため，装置を小型化する際に障壁となっていた。
【０００６】
本発明は，このような問題に鑑みてなされたもので，その目的とするところは，コネクタの接続／離脱状態に応じて自動的に光出力を制御でき，且つ，小型化および低コスト化が可能な光増幅装置を提供することにある。
【課題を解決するための手段】
【０００７】
上記課題を解決するために，本発明によれば，光増幅部で増幅された光信号を出力側のコネクタを経由して出力する光増幅装置であって，光増幅部からの光出力を制御する光出力制御部と，コネクタからの反射光を用いてコネクタの接続／離脱状態を検出する反射光検出部と，反射光検出部の前記検出の結果に応じて，光増幅部からの光出力と反射光検出部における反射光の検出感度とを連動して変更するように，光出力制御部および反射光検出部へ指示を出す利得制御部と，を備えたことを特徴とする光増幅装置が提供される。
【０００８】
かかる構成では，光出力制御部は光増幅部が増幅して出力する光出力を制御する。コネクタが外れると，コネクタの解放端でフレネル反射が発生するため，反射光量が増加する。反射光検出部は，この反射光量の増加を検出して，コネクタの接続／離脱状態を検出する。利得制御部は，検出されたコネクタの状態に応じて，光増幅部からの光出力と反射光検出部における反射光の検出感度とを連動して変更する。例えば，コネクタ外れが検出された場合，利得制御部は，光出力制御部に指示を出して安全なレベルにまで光増幅部の光出力を低下させる。光増幅部の光出力を低下すると，反射光の絶対量もそれに応じて低下するため，利得制御部は同時に，反射光検出部に指示を出して反射光の検出感度を増加させて，正確に反射光の検出が行われるようにする。上記のように本発明の光増幅装置では，コネクタが外れたときには，出力を低下させた光増幅部の光を用いて反射光の検出を行うため，レーザダイオード等の別の光源を用いる必要はない。よって，別の光源を駆動する回路や，別の光源の光を合波するための光合波器も不要であり，小型化および低コスト化を図ることができる。なお，コネクタが離脱した状態から接続した状態に変化した場合には，利得制御部は，光出力制御部へ光増幅部の光出力を増加させる指示を出すと共に，反射光検出部へ反射光の検出感度を低下させて，それぞれがコネクタ接続時と同じ値になるよう元通りにすることが好ましい。
【０００９】
また，利得制御部は，光出力を所定の倍率で変更するように指示し，且つ検出感度をこの所定の倍率の逆数となる割合で変更するように指示することが好ましい。すなわち，光増幅部の光出力をＡ（Ａは正の実数）倍とし，反射光の検出感度を１／Ａにする。例えば，コネクタの状態が接続から離脱へ変化したと検出された場合にはＡは１より小さい数値とし，コネクタの状態が離脱から接続へ変化したと検出された場合にはＡは１より大きい数値とする。反射光からコネクタの接続／離脱状態を検出する際，通常は反射光量に基づく信号を所定の閾値と比較することにより行う。上記のように，光増幅部の光出力と反射光の検出感度とを関連付けることにより，コネクタが接続／離脱の状態ごとに所定の閾値を設定する必要はなく，常に一定の閾値を用いて検出を行うことができる。
【００１０】
また，光増幅部が出力する光信号の一部はモニタ光として前記光出力制御部に入力され，光出力制御部は差動増幅器を有し，差動増幅器の一方の入力端には，モニタ光を光電変換した信号が第１の抵抗を介して入力されると共に，所定の設定電圧による信号が第２の抵抗を介して入力され，第１の抵抗と第２の抵抗の値の比を変更することにより光増幅部の光出力を変更するよう構成してもよい。この場合には，第１の抵抗と第２の抵抗の少なくともいずれか一方の値を変更するだけで，光増幅部の光出力を容易に変更することができる。
【発明の効果】
【００１１】
以上のように本発明の光増幅装置によれば，コネクタの接続／離脱状態に応じて自動的に光増幅部の光出力を制御でき，且つ，コネクタ離脱時にコネクタの状態を検出するための別の光源，この光源を駆動するための回路，およびこの光源からの光を合波するための光合波器等が不要であるため，小型化および低コスト化が可能になる。
【発明を実施するための最良の形態】
【００１２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１３】
本発明の実施の形態にかかる光増幅装置の概略構成について図１を参照しながら説明する。図１は，本発明の実施の形態にかかる光増幅装置の機能ブロック図である。光増幅装置は，光増幅部１００と，光出力制御部２００と，反射光検出部３００と，利得制御部４００と，を主な構成要素として備える。
【００１４】
光増幅部１００は，入力端子９０から入力された光信号を増幅し，増幅された光信号は出力側のコネクタ９２を経由して，コネクタ９２と接続された伝送路９４へ出力される。増幅された光の一部は，光増幅部１００内部の光分波器で分波されて，光出力制御部２００にモニタ光として入力される。このモニタ光を用いて，光出力制御部２００は，光増幅部１００が増幅して外部へ出力する光信号の光出力を制御する。
【００１５】
一方，コネクタ９２へ送出された光の一部は，コネクタ９２端面で反射されて戻り，光増幅部１００に再び入射する。この反射光は光増幅部１００内部の光分波器で分波されて，反射光検出部３００に入力される。この反射光を用いて，反射光検出部３００では，コネクタ９２が接続された状態であるか，あるいは外れた（離脱した）状態であるかの検出を行う。
【００１６】
コネクタ９２が接続されている正常時では，コネクタ９２からの反射光の光量は少量である。コネクタ９２が外れた異常時には，コネクタ端の物質と空気との屈折率差に起因したフレネル反射が発生し，反射光量は増加する。したがって，反射光量の増減を検出することにより，コネクタ９２の接続／離脱状態を検出することができる。
【００１７】
コネクタ９２の接続／離脱状態の検出結果は，利得制御部４００に入力され，利得制御部４００は，この検出結果に基づき，光出力制御部２００に対して光出力変更の指示を出すと共に，反射光検出部３００に対して検出感度変更の指示を出して，光増幅部１００からの光出力と反射光検出部３００における反射光の検出感度とを連動して変更するようにする。例えば，コネクタ９２が接続状態から離脱状態に変化したことが検出された場合には，光出力を低下させ，反射光の検出感度を増加させるように指示する。コネクタ９２が離脱状態から接続状態に変化したことが検出された場合には，光出力を増加させ，反射光の検出感度を低下させるように指示する。
【００１８】
次に，本発明の実施の形態にかかる光増幅装置の詳細構成について図２を参照しながら説明する。図２は，本発明の実施の形態にかかる光増幅装置の構成例を示す図である。光増幅部１００は，アイソレータ１１０ａ，１１０ｂ，ＥＤＦ（Ｅｒｂｉｕｍ−Ｄｏｐｅｄ  ｏｐｔｉｃａｌ  Ｆｉｂｅｒ，以下ＥＤＦという）１２０，ＷＤＭ（Ｗａｖｅｌｅｎｇｔｈ  Ｄｉｖｉｓｉｏｎ  Ｍｕｌｔｉｐｌｅｘｉｎｇ：波長分割多重）カプラー１３０，光分波器１４０ａ，１４０ｂを有する。アイソレータ１１０ａ，１１０ｂは，光を一方向にのみ透過させる素子である。ＥＤＦ１２０は，コア中に不純物としてエルビウムをドーピングした増幅用光ファイバであり，励起用のレーザ光を注入されると，入力された光信号を増幅して出力する。ＷＤＭカプラー１３０は，波長の異なる複数の光信号を合波するものであり，ここでは，励起用レーザダイオード２５０からの励起光をＥＤＦ１２０へ導くために用いられる。光分波器１４０ａは，増幅されて出力される光の一部を分波し，モニタ光として光出力制御部２００に導く。光分波器１４０ｂは，コネクタ９２で反射して戻ってきた反射光を反射光検出部３００に導く。これらは，入力端子９０から入力された光信号の光路に沿って，アイソレータ１１０ａ，ＥＤＦ１２０，ＷＤＭ１３０，アイソレータ１１０ｂ，光分波器１４０ａ，光分波器１４０ｂの順に配置されている。
【００１９】
光出力制御部２００は，フォトダイオード２１０，出力制御回路２２０，ループフィルタ２３０，励起光駆動回路２４０，励起用レーザダイオード２５０を有する。フォトダイオード２１０は，光電変換素子として機能し，光分波器１４０ａにより分波された光が入力され，その光量に応じて電気信号を発生させ，その電気信号は出力制御回路２２０に入力される。出力制御回路２２０は，フォトダイオード２１０からの電気信号を用いて光増幅部１００の光出力をモニタしつつ，光増幅部１００の光出力を制御するために機能する。
【００２０】
出力制御回路２２０は，差動増幅器２２１と，抵抗Ｒ１，Ｒ２，Ｒ３と，反転器２２２とを有する。抵抗Ｒ１，Ｒ２，Ｒ３は可変抵抗である。差動増幅器２２１の＋（プラス）入力端子には，基準電圧Ｖ０が入力される。基準電圧Ｖ０は零の値をとってもよい。フォトダイオード２１０により発生した光出力検出電圧Ｖｍは基準電圧Ｖ０と加えられて抵抗Ｒ１を経由して差動増幅器２２１の−（マイナス）入力端子に入力される。また，予め設定され所定の値をもつ設定電圧Ｖｓｅｔは基準電圧Ｖ０と加えられ，反転器２２２により反転作用を受けた後，抵抗Ｒ２を経由して差動増幅器２２１の−（マイナス）入力端子に入力される。抵抗Ｒ３は帰還抵抗として機能し，差動増幅器２２１は＋（プラス）入力端子との−（マイナス）入力端子に入力された電圧の差をとって増幅する。差動増幅器２２１が出力する出力電圧Ｖｏｕｔは下記式１で表される。
Ｖｏｕｔ＝−Ｒ３×（Ｖｍ／Ｒ１−Ｖｓｅｔ／Ｒ２）        （式１）
式１は下記式２のように変形でき，
Ｖｏｕｔ／Ｒ３＝−（Ｖｍ／Ｒ１−Ｖｓｅｔ／Ｒ２）        （式２）
抵抗Ｒ３が十分大きい値をもつようにすると，下記式３が成立する。
Ｖｍ／Ｒ１  ≒  Ｖｓｅｔ／Ｒ２        （式３）
差動増幅器２２１からの出力電圧Ｖｏｕｔは，ループフィルタ２３０を経た後，励起光駆動回路２４０に入力される。励起光駆動回路２４０は励起用レーザダイオード２５０を駆動するための回路である。励起用レーザダイオード２５０はＥＤＦ１２０を励起するレーザ光を供給するものである。上記構成により，抵抗Ｒ１，Ｒ２の値の比を変更して，励起用レーザダイオード２５０の出力を変更することができ，ひいてはＥＤＦ１２０の出力を変更することができる。すなわち，抵抗Ｒ１，Ｒ２の値の比を変更することにより，光増幅部１００の光出力を変更できる。抵抗Ｒ１，Ｒ２の値は利得制御部４００からの指示信号を受けて変更されるよう構成されている。
【００２１】
反射光検出部３００は，フォトダイオード３１０，検出感度制御回路３２０，検出器３３０を有する。フォトダイオード３１０は，光電変換素子として機能し，光分波器１４０ｂにより導かれたコネクタ９２からの反射光が入力され，その光量に応じて電気信号を発生させ，その電気信号は検出感度制御回路３２０を経て検出器３３０に入力される。検出器３３０は反射光を検出する機能を有し，検出感度制御回路３２０は，利得制御部４００からの指示信号を受けて，反射光の検出感度を制御する機能を有する。検出器３３０では，反射光量に基づいた反射光検出電圧と，予め設定され所定の値をもつ限界電圧とを比較して，コネクタ９２の接続あるいは離脱状態を検出する。すなわち，限界電圧は閾値として機能するものであり，反射光検出電圧が限界電圧より大きい場合はコネクタは離脱状態，反射光検出電圧が限界電圧以下である場合はコネクタは接続状態であると検出される。検出器３３０による検出結果は，利得制御部４００に送信される。
【００２２】
利得制御部４００は，検出器３３０からの検出結果に基づき，出力制御回路２２０に指示信号を送り光出力を変更すると共に，検出感度制御回路３２０に指示信号を送り検出感度を変更する機能を有する。利得制御部４００は，光出力を所定の倍率で変更するように指示し，且つ検出感度をこの所定の倍率の逆数となる割合で変更するように指示する。すなわち，光増幅部１００の光出力をＡ（Ａは正の実数）倍とし，反射光の検出感度を１／Ａにする。例えば，検出されたコネクタの状態が離脱であれば，Ａは１より小さい数値とする。
【００２３】
上記構成を有する光増幅装置の動作について説明する。入力端子９０から光増幅部１００に入力された光信号は，アイソレータ１１０ａを経由した後，ＥＤＦ１２０に入力される。ＥＤＦ１２０には，励起用レーザダイオード２５０からの励起光がＷＤＭカプラー１３０により入力されているため，光信号はＥＤＦ１２０で増幅されて出力され，ＷＤＭカプラー１３０およびアイソレータ１１０ｂを順に経由して進行する。その後，増幅された光信号は光分波器１４０ａで外部出力用の光と光出力モニタ用のモニタ光とに分波される。モニタ光は光出力制御部２００のフォトダイオード２１０に入力される。外部出力用の光はそのまま進行し，分波器１４０ｂを透過した後，コネクタ９２に出力され，伝送路（図２では不図示）に送出される。コネクタ９２に出力された光のうち一部は反射光となって戻り，分波器１４０ｂによって反射光検出部３００のフォトダイオード３１０に導かれる。
【００２４】
光出力制御部２００では，フォトダイオード２１０に入力されたモニタ光の光量に応じてフォトダイオード２１０は電気信号を発生させ，この電気信号は出力制御回路２２０に入力される。出力制御回路２２０はフォトダイオード２１０からの電気信号を用いて光出力を制御する出力信号を出力し，この出力信号はループフィルタ２３０を経て，励起光駆動回路２４０に伝達される。励起光駆動回路２４０はこの信号に基づき励起用レーザダイオード２５０を駆動し，励起用レーザダイオード２５０がＷＤＭカプラー１３０へ出力する励起光の光量が制御される。
【００２５】
反射光検出部３００では，フォトダイオード３１０に入力された反射光の光量に応じてフォトダイオード３１０は電気信号を発生させ，この電気信号は検出感度制御回路３２０を経た後，検出器３３０に入力される。検出器３３０は，限界電圧とフォトダイオード３１０からの電気信号に基づく反射光検出電圧とを比較する。コネクタ９２が接続された正常時では，反射光検出電圧は限界電圧より小さいため，検出器３３０はコネクタ９２は接続状態であると検出して，その検出結果を利得制御部４００に送信する。
【００２６】
通常はコネクタ９２が接続された状態の正常時である。次に，何らかの事情でコネクタ９２が外れた状態の異常時について考える。コネクタ９２が離脱すると，上述のように，反射光が増加し，フォトダイオード３１０に入射する光量が増加する。フォトダイオード３１０では，この光量増加に応じた電気信号が発生するため，この場合は反射光検出電圧が限界電圧より大きくなる。これにより，検出器３３０はコネクタ９２の離脱を検出し，この検出結果を利得制御部４００へ送信する。利得制御部４００は，出力制御回路２２０に信号を送り，抵抗Ｒ１を小さくする，あるいは抵抗Ｒ２を大きくすることにより，人体に危害を及ぼさない安全なレベルまで出力パワーを低下させるよう指示する。これと共に，利得制御部４００は，検出感度制御回路３２０に信号を送り，検出感度を増加させる。このとき利得制御部４００は，反射光の検出感度を所定の倍率で増加させ，且つ，光増幅部１００の光出力をこの所定の倍率の逆数となる割合で低下させるようにする。例えば光出力を１／１０００にした場合は，検出感度を１０００倍にする。上記のように両者を関連付けて変更することにより，正常時に設定した限界電圧を変更することなく異常時においても同じ限界電圧のままで，コネクタ９２の離脱あるいは接続の状態を検出できる。
【００２７】
次に，コネクタ９２が外れた状態からコネクタ９２が接続された状態に変化したときを考える。このときは，反射光が減少して，フォトダイオード３１０に入射する光量が減少する。フォトダイオード３１０では，この光量増加に応じた電気信号が発生するため，この場合は反射光検出電圧が限界電圧より小さくなる。これにより，検出器３３０はコネクタ９２の接続を検出し，利得制御部４００へ送信する。利得制御部４００は，出力制御回路２２０に信号を送り，抵抗Ｒ１を大きくする，あるいは抵抗Ｒ２を小さくすることにより，出力パワーを正常時の値まで増加させると共に，利得制御部４００は，検出感度制御回路３２０に信号を送り，検出感度を正常時の値まで減少させる。
【００２８】
以上述べたように，本実施の形態によれば，コネクタ外れが検出された場合に，出力パワーを低下させると共に，反射光の検出感度を増加させている。このようにして，コネクタ離脱時の反射光検出に，光増幅部からの光を用いているため，別の光源を用いることなく，正確に反射光の検出を行うことができる。そして，検出感度と光増幅部の光出力を上記のように関連付けているため，コネクタが接続されている状態および離脱している状態のいずれにおいても，限界電圧を変更することなく，反射光の検出を行うことができる。したがって上記構成では，従来の装置で必要としていたレーザダイオード等の別の光源を用いる必要はなく，別の光源用の駆動回路も不要である。また，従来の装置で用いられていた別の光源の光を合波するための光合波器も不要である。さらに，光増幅部の出力制御も出力制御回路の２つの抵抗値の比を変化させるだけでよく，単純な構成で実現可能である。よって，本実施の形態によれば，従来に比べ，小型化および低コスト化を図ることができる。
【００２９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００３０】
上記実施の形態では，後方励起の場合を例にとり説明したが，これに限定されず，別の励起方式の場合にも本発明は適用可能である。また，上記実施の形態では出力光用，反射光用の光分波器１４０ａ，１４０ｂを個別に設ける場合について説明したが，これらを１つの光分波器で代用することも可能である。なお，上記説明における検出器と利得制御部を両者の機能を有する１つの装置で実現することも可能である。
【産業上の利用可能性】
【００３１】
本発明は，光信号の光を直接増幅する光増幅装置に適用可能であり，例えばコネクタが外れた場合に安全のために光出力を制御する光増幅装置に適用可能である。
【図面の簡単な説明】
【００３２】
【図１】本発明の実施の形態にかかる光増幅装置の機能ブロック図である。
【図２】本発明の実施の形態にかかる光増幅装置の構成例を示す図である。
【図３】従来の光増幅装置の構成を示す図である。
【符号の説明】
【００３３】
１１      入力端子
１２      光増幅器
５１      レーザ駆動回路
５２      レーザダイオード
５３      光合波器
５４      検出器
１３      光分岐器
１４      出力コネクタ
１５      フォトダイオード
９０      入力端子
９２      コネクタ
１００      光増幅部
１１０ａ，１１０ｂ      アイソレータ
１２０      ＥＤＦ
１３０      ＷＤＭカプラー
１４０ａ，１４０ｂ      光分波器
２００      光出力制御部
２１０      フォトダイオード
２２０      出力制御回路
２２１      差動増幅器
２３０      ループフィルタ
２４０      励起光駆動回路
２５０      励起用レーザダイオード
Ｒ１，Ｒ２，Ｒ３      抵抗
３００      反射光検出部
３１０      フォトダイオード
３２０      検出感度制御回路
３３０      検出器
４００      利得制御部
Ｖｍ      光出力検出電圧
Ｖ０      基準電圧
Ｖｓｅｔ      設定電圧
Ｖｏｕｔ      出力電圧
【図１】
2005236034.tif 000003
【図２】
2005236034.tif 000004
【図３】
2005236034.tif 000005